(57)【特許請求の範囲】
【請求項１】
後方半部と、前記後方半部上に積層された第１裏地と、前記第１裏地を覆うように積層された第２裏地と、を有するパンツであって、
前記第１裏地の前面に臀部に対向する位置に左右２箇所にそれぞれパッドが配設されており、
前記第１裏地と第２裏地とが、上端部縫い線と左右側端部縫い線とで形成される逆Ｕ字形で、後方半部の上端部と左右側端部とに固定され、
前記第１裏地の下端部と前記第２裏地の下端部は縫い合わされずに袋状の解放状態にされていることを特徴とする体型補整用パンツ。
【請求項２】
後方半部と、前記後方半部上に積層された第１裏地と、前記第１裏地上に積層された第２裏地と、を有するパンツであって、
前記第１裏地の前面に臀部に対向する位置に左右２箇所にそれぞれパッドが配設されており、
前記第１裏地と第２裏地とが、上端部縫い線と左右側端部縫い線とで形成される逆Ｕ字形で、後方半部の上端部と左右側端部とに固定され、
前記第１裏地の下端部と前記第２裏地の下端部は縫い合わされずに袋状の解放状態にされ、
前記パッドは、大きさが徐々に小さくなる複数枚の楕円形状生地を積層して形成したものであることを特徴とする体型補整用パンツ。
【請求項３】
前記第２裏地の下端部には、前記第１裏地の下端部を覆うようにふさが形成されていることを特徴とする請求項１又は２に記載の体型補整用パンツ。
【請求項４】
前記第１裏地及び前記パッドの材質はポリウレタンの生地であり、前記第２裏地の材質は、パンツ生地と同一のものを使用することを特徴とする請求項１〜３のいずれかに記載の体型補整用パンツ。
【請求項５】
前記パンツの生地がデニムであることを特徴とする請求項１〜４のいずれかに記載の体型補整用パンツ。
【発明の詳細な説明】
【０００１】
【発明の属する技術分野】
本発明は体型補整用パッドを具備するパンツに関するもので、より詳細には、体型補整用パッドの製造が容易で、激しく動いても体型補整用パッドが変形しない体型補整用パンツに関する。
【０００２】
【従来の技術】
一般的に、デニムなど生地からなるパンツは着用者の体にぴったりあうように、デザインされたものと、着用者の体にゆるくデザインされたものに分けられる。着用者の体にぴったり合うようにデザインされたデニムパンツの場合、着用者の体つきがそのまま表れる。特に、着用者の臀部が目立って表れる。
大部分の西洋人は臀部が上部に膨らんでいて半円形なので、体つきが表れるデニムパンツを着用した場合、臀部の着こなしがよく見える。しかし、大部分の東洋人は腎部が下方に落ちている、つまり臀部トップの位置が西洋人よりも下方位置にあるので、臀部の着こなしが悪く、足が短く見えてしまうなどの弱点がある。
そこで、上記の点を改良した体型補整用パッドを具備するデニムパンツが、図７及び図８に図示するように、韓国公開実用新案公報第１９９９−３５３７４号に開示されている。
【０００３】
【発明が解決しようとする課題】
しかし、韓国公開実用新案公報第１９９９−３５３７４号に開示された体型補整用デニムパンツ８に使用されるパッド１は、合成スポンジ６を金型に入れてプレスで圧縮して製造したもので、製造が煩わしいだけでなく、製造費用もかかるという問題点がある。
さらに、上記の体型補整用デニムパンツ８は、デニムパンツの後方半部７の内側面にパッド１を固定したもので、デニムパンツ８の上半部３と中央部５にＴ字形に返し縫いをしてパッド１を固定しているものである。
しかし、このような構造は、着用者が激しく動くと、パッドの左右側下端部２が折られたり、巻き上がったりする問題がある。
本発明は、前述した問題点を解決する為になされたものであって、その課題は、外観上の臀部の位置を上方に移行させて、臀部の着こなしをよくさせ、しかも足が長く見える体型補整用パンツを提供することである。
【０００４】
【課題を解決するための手段】
請求項１に記載の体型補整用パンツは、後方半部と、前記後方半部上に積層された第１裏地と、前記第１裏地を覆うように積層された第２裏地と、を有するパンツであって、
前記第１裏地の前面に臀部に対向する位置に左右２箇所にそれぞれパッドが配設されており、
前記第１裏地と第２裏地とが、上端部縫い線と左右側端部縫い線とで形成される逆Ｕ字形で、後方半部の上端部と左右側端部とに固定され、
前記第１裏地の下端部と前記第２裏地の下端部は縫い合わされずに袋状の解放状態にされていることを特徴とする。
請求項２に記載の体型補整用パンツは、後方半部と、前記後方半部上に積層された第１裏地と、前記第１裏地上に積層された第２裏地と、を有するパンツであって、
前記第１裏地の前面に臀部に対向する位置に左右２箇所にそれぞれパッドが配設されており、
前記第１裏地と第２裏地とが、上端部縫い線と左右側端部縫い線とで形成される逆Ｕ字形で、後方半部の上端部と左右側端部とに固定され、
前記第１裏地の下端部と前記第２裏地の下端部は縫い合わされずに袋状の解放状態にされ、
前記パッドは、大きさが徐々に小さくなる複数枚の楕円形状生地を積層して形成したものであることを特徴とする。
請求項３に記載の体型補整用パンツは、請求項１又は２において、前記第２裏地の下端部には、前記第１裏地の下端部を覆うようにふさが形成されていることを特徴とする。
請求項４に記載の体型補整用パンツは、請求項１〜３のいずれかにおいて、前記第１裏地及び前記パッドの材質はポリウレタンの生地であり、前記第２裏地の材質は、パンツ生地と同一のものを使用することを特徴とする。
請求項５に記載の体型補整用パンツは、請求項１〜４のいずれかにおいて、前記パンツの生地がデニムであることを特徴とする。
【０００５】
【発明の実施の形態】
本発明の体型補整用パンツの実施の形態を、図面を参照しながら詳細に説明する。
図１は、本発明の実施の形態１を示した体型補整用パンツの前方半部を左右に切り開いて、後方半部が見えるようにした展開正面図である。図２は、本発明の実施の形態１を示した体型補整用パンツの後方半部を分解して説明するための分解斜視図である。図３は、本発明の体型補整用パンツに配設されるパッドの一例を示す斜視図である。図４は、本発明の実施の形態２を示した体型補整用パンツの前方半部を左右に切り開いて、後方半部が見えるようにした展開正面図である。図５は、本発明の実施の形態３を示した体型補整用パンツの前方半部を左右に切り開いて、後方半部が見えるようにした展開正面図である。図６は、本発明の実施の形態４を示した体型補整用パンツの後方半部を分解して説明するための分解斜視図である。
【０００６】
（実施の形態１）
本発明の実施の形態１の体型補整用パンツは、図１，図２に示すように、後方半部１０と、後方半部１０上に積層された第１裏地３０と、第１裏地３０上に積層された第２裏地４０とを有し、第１裏地３０の前面（第２裏地側）に臀部に対向する位置に左右２箇所にそれぞれパッド５０，５０が配設されている。ここで、後方半部１０とはパンツを構成する後側（尻側）の上方部を意味し、前方半部２０とはパンツを構成する前側（腹側）の上方部を意味する。
【０００７】
第１裏地３０及び第２裏地４０の形状は、長方形のように臀部を覆う形状であればよく特にその形状を特定するものではないが、図１、図２に示すように、第１裏地３０の下端部３３及び第２裏地４０の下端部４３は、臀部の形状に沿うように下端部の中央部分が下方に突出して湾曲した曲線を呈している。また、第１裏地３０の上端部３２及び第２裏地４０の上端部４２は直線を呈しており、第１裏地３０の左右側端部３４及び第２裏地４０の左右側端部４４は直線を呈している。第１裏地３０及び第２裏地４０の形状は、前記のような曲線及び直線に囲まれて、全体的な形状としては、五角形を逆さまにして、最下部に位置する角を丸めて曲線化したような形態を呈している。このような形状のものは、臀部の形状に沿っていて好ましく適用できる。
【０００８】
また、第１裏地３０と第２裏地４０の大きさは、略同一であることが好ましい。すなわち、図２に示すように、第１裏地３０と第２裏地４０の中央部分の上下の長さ（Ｌ１，Ｌ２）はパンツの後方半部１０の上端部から股部分までの長さ（Ｌ３）より若干短くなるように形成されていることが好ましい。上端部から股部分までの長さ（Ｌ３）が、中央部分の上下の長さ（Ｌ１またはＬ２）より長いと、縫い合わせた際に第１裏地３０や第２裏地４０がパンツの股下からはみ出してしまうことになり体裁が悪い。また、図１に示すように、第１裏地３０の左右の長さＬ４及び第２裏地４０の左右の長さＬ５は、略等しく、パンツの後方半部１０の左右の長さＬ６より若干長いことが望ましい。
【０００９】
第２裏地４０の下端部４３には、例えば、より糸で作られている多数のふさ４１が形成されていることが好ましい。ふさ４１は、第１裏地３０及び第２裏地４０が積層されてパンツに縫い合わされた時に、第１裏地３０の下端部３３を覆い、第１裏地３０、第２裏地４０がパンツの後方半部２０に対してつくる急激な段差を緩和し、履きごごちをよくする役割がある。なお、ふさ４１は、より糸で作られているものの他に、短冊状のものでもよい。また、ふさに代えて、厚みの薄い生地などを用いて、第１裏地３０の下端部３３を覆うことでも同じ役割を果たすので好ましい。
【００１０】
なお、図１，図２においては、本発明のパンツの後方半部１０の前面の構成を明確に示すため、パンツの前方半部２０を左右に切り裂き展開して図示してあるが、実際のパンツの構成は、図面中央に示す後方半部１０と、図面左右に切り裂いた展開状態を示す前方半部２０は縫い線２１，２１で縫い合わせて形成されているものである。図１，図２においては、パンツの前方半部２０は、図面に記載されている部分以外は省略して描いている。
【００１１】
図１に示すように、第１裏地３０と第２裏地４０は、パンツの後方半部１０の上端部１４、左側端部１５及び右側端部１６に、上端部縫い線１１と左右側端部縫い線１３によって形成される逆Ｕ字形で固定されていることが好ましい。すなわち、第１裏地３０の下端部３３と第２裏地４０の下端部４３は縫い合わされず袋状の開放状態にされており、パンツ、第１裏地３０、第２裏地４０生地間のすべり性をよくし履き心地を増している。
【００１２】
第１裏地３０の素材は弾力性のある生地、例えばポリウレタン生地などで形成され，第２裏地４０の素材は、パッドが入っているという違和感をなくすためパンツの生地と同一であることが望ましい。なお、パンツ自体の生地素材は、デニムが好ましいが、他の素材でもよい。例えば、合成レザーなどの合成化学素材、天然素材など適宜用いることができる。
【００１３】
図１、図２に示すように、第１裏地３０の前面（第２裏地に面する側）には、臀部に対向する位置に左右２箇所にそれぞれパッド５０，５０が配設されている。パッドを左右２箇所に分割して配設することにより、より体型に沿った形状とすることができるからである。パッド５０は第１裏地３０に縫い合わせ等の手段で固着され、パッド５０を介在させるように第１裏地３０に第２裏地４０を積層し、第１裏地３０、第２裏地４０をパンツの後方半部１０の上端部１４に縫い合わせされる。パッド５０は、第１裏地３０と第２裏地４０とでサンドイッチされた状態でパンツ内面に固着されているので、着用者が激しく動いてもパッド５０が折られたり巻き上がったりする事がないという効果がある。なお、第１裏地３０及び第２裏地４０がパンツの後方半部１０に固着される時，パンツの前方半部２０も同時に固着される。
【００１４】
パッド５０は，一枚で形成されていてもよいが、大きさが徐々に小さくなる２〜８枚、好ましくは４〜６枚の複数枚の楕円形のパッド生地（例えば、図３に図示すように５枚の例では、５１，５２，５３，５４，５５）を順に積層した積層パッドとすることも好ましい。積層パッドの積層方法としては、図３に示すように、縫い線５７を形成するように糸を用いた縫い合わせする方法が好ましく採用されるが、接着、融着などの他の積層方法を用いることもできる。大きさが徐々に小さくなる複数枚の楕円形生地を順に積層し、縫い合わせすることで、従来技術に比べより容易に体型補整用パンツが製造できる。
【００１５】
複数枚のパッドを積層した積層パッド５０は、大きな面積を有する最下層のパッド生地５１を第１裏地３０に固着させ、小さな面積を有する最上層のパッド生地５５が第２裏地４０に接するように、第２裏地４０が積層される。積層パッドを用いることで、積層パッド５０の山が臀部と接し、外観上ヒップのトップ位置が上方により移行したように見え、体型補整の効果が増す。
【００１６】
積層パッド５０の積層の方法は、図３に示すように、各パッドの中心を少し下方にずらして積層することが好ましい。最上層のパッド５５が臀部と接触するようになるべく下方に位置させることが好ましいからである。なお、パッド５０の楕円形生地（５１，５２，５３，５４，５５）の材質は、履き心地向上の点から、弾力性のあるポリウレタン生地等で形成されているものであることが望ましいが、他の素材も適宜用いることができる。
【００１７】
（実施の形態２）
次に、本発明の実施の形態２の体型補整用パンツを説明する。図４に示すように、実施の形態２の体型補整用パンツは、ふさを有さない点、第２裏地が第１裏地よりも若干大きめのサイズを有する点で実施の形態１のパンツと異なるが、その他の点では実施の形態１の体型補整用パンツと異なるところはない。図４に示すように、実施の形態２の体型補整用パンツは、後方半部１０と、後方半部１０上に積層された第１裏地３０と、第１裏地３０上に積層された第２裏地４０とを有し、第１裏地３０の前面（第２裏地側）に臀部に対向する位置に左右２箇所にそれぞれパッド５０，５０が配設されている。
【００１８】
第１裏地３０の下端部３３は、第２裏地４０の下端部４３で覆われるように、若干サイズが小さめに形成されている。すなわち、図２に示すサイズの記号を用いて説明するならば、第１裏地３０の中央部分の上下の長さＬ１は、第２裏地４０の中央部分の上下の長さＬ２より、若干短く設定されている。なお、第２裏地４０を第１裏地３０よりも若干薄いものを用いることで、第１裏地３０及び第２裏地４０が積層されてパンツに縫い合わされた時に、第２裏地４０の下端部４３が第１裏地３０の下端部３３を覆い、第１裏地３０、第２裏地４０がパンツの後方半部２０に対してつくる急激な段差を緩和し、履きごごちをよくする役割がある。
【００１９】
（実施の形態３）
次に、本発明の実施の形態３の体型補整用パンツを説明する。図５に示すように、実施の形態３の体型補整用パンツは、第２裏地の形状が第１裏地と異なる点で実施の形態２のパンツと異なるが、その他の点では実施の形態２の体型補整用パンツと異なるところはない。図５に示すように、実施の形態３の体型補整用パンツは、後方半部１０と、後方半部１０上に積層された第１裏地３０と、第１裏地３０上に積層された第２裏地４０とを有し、
第１裏地３０の前面（第２裏地側）に臀部に対向する位置に左右２箇所にそれぞれパッド５０，５０が配設されている。第２裏地の下端部４３の形状は、曲線ではなく、直線で構成されており、全体的な形状としては、不等辺六角形を逆さまにしたものである。このような形状のものは、生地からのカットが容易である点で好ましい。なお、第１裏地３０の形状も、ここで説明した不等辺六角形とすることもできる。
【００２０】
（実施の形態４）
次に、本発明の実施の形態４の体型補整用パンツを説明する。図６に示すように、実施の形態４の体型補整用パンツは、第２裏地を有さない点、パッドの取り付け方向の点で実施の形態２のパンツと異なるが、その他の点では実施の形態２の体型補整用パンツと異なるところはない。図６に示すように、実施の形態４の体型補整用パンツは、後方半部１０と、後方半部１０上に積層された第１裏地３０と、第１裏地３０の後面（パンツ地側）に臀部に対向する位置に左右２箇所にそれぞれパッド５０，５０が配設されている。第２裏地を省略することによりパンツが安価に製造できるという効果がある。この場合、第２裏地の生地厚みを薄くすることで履き心地が増す。
【００２１】
【発明の効果】
発明の体型補整用パンツは、パッドを容易に製造できるだけではなく、パッドが生地と一体化しているため、着用者が激しく動いてもパッドが折られたり巻き上がったりする心配がなく、容易に体型補整が可能になる。
【図面の簡単な説明】
【図１】本発明の実施の形態１である体型補整用パンツの前方半部を左右に切り開いて、後方半部が見えるようにした展開正面図である。
【図２】本発明の実施の形態１である体型補整用パンツの後方半部を分解して説明するための分解斜視図である。
【図３】本発明の体型補整用パンツに配設されるパッドの一例を示す斜視図である。
【図４】本発明の実施の形態２である体型補整用パンツの前方半部を左右に切り開いて、後方半部が見えるようにした展開正面図である。
【図５】本発明の実施の形態３である体型補整用パンツの前方半部を左右に切り開いて、後方半部が見えるようにした展開正面図である。
【図６】本発明の実施の形態４である体型補整用パンツの後方半部を分解して説明するための分解斜視図である。
【図７】従来の体型補整用パッドを具備するデニムパンツを示す概略説明図である。
【図８】従来の体型補整用パッドを具備するデニムパンツを示す概略説明図である。
【符号の説明】
１０：後方半部
１１：縫い線
１３：左右側端部縫い線
１４：パンツの後方半部の上端部
１５：左側端部
１６：右側端部
２０：前方半部
２１：縫い線
３０：第１裏地
３２，４２：上端部
３３，４３：下端部
３４，４４：左右側端部
４０：第２裏地
４１：ふさ
５０：パッド
５１，５２，５３，５４，５５：パッド生地
５７：縫い線
Ｌ１：第１裏地の中央部分の上下の長さ
Ｌ２：第２裏地４０の中央部分の上下の長さ
Ｌ３：パンツの後方半部の上端部から股部分までの長さ
Ｌ４：第１裏地の左右の長さ
Ｌ５：第２裏地４０の左右の長さ
Ｌ６：パンツの後方半部の左右の長さ
【図１】
0003574855.tif 000002
【図２】
0003574855.tif 000003
【図３】
0003574855.tif 000004
【図４】
0003574855.tif 000005
【図５】
0003574855.tif 000006
【図６】
0003574855.tif 000007
【図７】
0003574855.tif 000008
【図８】
0003574855.tif 000009